(57)【要約】【課題】ネットワークを介して伝送されるコンテンツに含まれる時刻情報に揺らぎがあっても、コンテンツの先頭部分や最後の部分が欠落するといった不具合を生じさせることのない、正確な予約の設定・実行などを可能にする受信端末装置を提供する。【解決手段】受信端末装置は、基準となるネットワークから時刻情報を抽出して端末の基準時刻として内部時計に設定し、ユーザから予約要求されると、予約要求された番組が伝送されるネットワークにおける時刻情報と基準時刻との差分値を求め、この差分値により予約開始・終了時刻などの時刻補正を行うと共に、予め定めたタイミング毎に改めて差分値を求め、改めて求めた差分値により予約開始・終了時刻などの時刻補正を順次行うことで、揺らぎを有する時刻情報をより的確に補正して正確な予約の設定・実行などを可能にする。【選択図】図１
2011055314.tif 000002
【特許請求の範囲】
【請求項１】
放送局から電波を介して送信され第１の時刻情報を有する第１の放送データと、外部サーバから通信ネットワークを介して送信され第２の時刻情報を有する第２の放送データとを受信し、前記第１の時刻情報または前記第２の時刻情報を基に所定の動作を行なう受信端末装置であって、
同時刻に入力される前記第１の時刻情報と前記第２の時刻情報との時刻差分情報を生成して保存する時刻差分情報保存部と、
前記時刻差分情報を基に前記第２の時刻情報の補正を行う時刻情報補正部と、
予め定められたタイミング毎に、前記時刻差分情報保存部において前記タイミングが指し示す時刻毎に生成され上書き保存された前記時刻差分情報を基に、前記第２の時刻情報の補正を順次行う時刻情報再補正部と、
前記第２の放送データを受信する場合には、前記時刻情報補正部および前記時刻情報再補正部において補正された前記第２の時刻情報の内、最も新しい前記補正された前記第２の時刻情報を基に、前記所定の動作を行なうことを特徴とする受信端末装置。
【請求項２】
前記所定の動作の開始時刻および／または終了時刻、および前記時刻情報再補正部が補正を開始する時刻を保持するとともに、前記第１の時刻情報を監視して保持されている時刻になったことを検知するタイマ部と、
前記所定の動作の開始時刻および／または終了時刻、および前記時刻情報再補正部が補正を開始する時刻を前記タイマ部に設定するとともに、設定された時刻を前記タイマ部が検知すると、前記所定の動作を開始または終了させる所定動作設定・実行部と、をさらに備え、
前記第２の放送データを受信する場合には、
前記所定の動作の開始および／または終了時刻、および前記時刻情報再補正部が補正を開始する時刻の前記タイマ部への設定は、前記時刻情報補正部において補正された前記第２の時刻情報に基づく所定の時刻に設定し、
前記タイマ部に設定された前記所定の時刻は、前記予め定められたタイミング毎に、前記時刻情報再補正部が補正した前記第２の時刻情報により順次補正され、
前記タイマ部が前記第１の時刻情報を基に前記所定の時刻になったことを確認すると、前記所定動作設定・実行部は、前記所定の時刻に実行する処理が、前記所定の動作に関する処理であるか、前記時刻情報再補正部が行う補正に関する処理であるかを判断することを特徴とする請求項１記載の受信端末装置。
【請求項３】
前記第２の放送データは、前記第１の放送データを送信する前記放送局とは異なる放送局から、電波を介して送信される放送データであることを特徴とする請求項１または２記載の受信端末装置。
【請求項４】
前記タイミングは、前記第２の放送データとして放送される番組が切り替わる時刻、または、ユーザもしくは前記外部サーバにより外部から設定される時刻、であることを特徴とする請求項１乃至３のいずれかに記載の受信端末装置。
【発明の詳細な説明】
【技術分野】
【０００１】
本発明は、放送波、および通信ネットワーク等の様々なネットワークを介して映像・音声コンテンツなどを受信する映像受信端末装置（以下、映像受信端末と称す）などの受信端末装置に関し、特に、通信ネットワークから伝送されるコンテンツの予約実行を正確に行う映像受信端末に関するものである。
【背景技術】
【０００２】
近年、通信ネットワーク（通信回線）を用いた映像配信サービスが盛んになりつつあり、ユーザは、動画を視聴するための端末（映像受信端末）を操作し、通信事業社などが提供するＩＰ（Ｉｎｔｅｒｎｅｔ  Ｐｒｏｔｏｃｏｌ）放送を視聴することが可能となってきた。
【０００３】
また、映像受信端末への映像・音声コンテンツの伝送形態も多様化されており、アナログ放送、デジタル放送、およびＩＰ放送等複数のネットワークに対応した映像受信端末が数多く開発されている。
【０００４】
各ネットワークで伝送される映像・音声コンテンツデータには時刻情報が含まれているが、各ネットワークを介して同時刻に伝送される各ネットワークの時刻情報には誤差がある。そのため、複数のネットワークに対応した映像受信端末においては、以下に示すような課題が生じる恐れがある。
【０００５】
すなわち、映像受信端末は、受信した映像・音声コンテンツデータに含まれる時刻情報を取得して内部に具備している内部時計に設定し、一般的には、この内部時計に設定された時刻を基準として予約操作等の時刻に関する操作を実行するが、内部時計に設定した時刻情報を含む映像・音声コンテンツデータを伝送するネットワークと、ユーザが視聴予約を行う映像・音声コンテンツデータを伝送するネットワークとが異なる場合、異なるネットワークには時刻情報に誤差が生じているため、ユーザが視聴予約を行った映像・音声コンテンツの先頭部分やコンテンツの最後の部分が視聴できないといった不具合が生じる恐れがある。
【０００６】
このような異なるネットワーク間の時刻情報の誤差から発生する予約操作の不具合を防ぐ方法としては、例えば、特許文献１において、デジタル放送とアナログ放送の複数の放送を受信可能な映像受信端末に関する従来技術が開示されている。
【０００７】
特許文献１に開示されている映像受信端末は、デジタル放送とアナログ放送の受信が可能であり、デジタル放送もしくはアナログ放送のいずれかの放送に含まれる時刻情報を内蔵する内部時計に設定し、ユーザが予約を行う際に、内部時計に設定された時刻情報と予約を行う番組の放送に含まれる時刻情報との差分値を計算し、計算した差分値を基に予約実行時間を補正するように構成されている。
【０００８】
次に、図３および図４を用いて、特許文献１に開示されている従来の映像受信端末について説明する。なお、図３は、特許文献１に開示されている従来の映像受信端末の構成を示すブロック図であり、図４は、特許文献１に開示されているユーザが映像受信端末に予約を設定して実行する手順を示すフローチャートである。
【０００９】
図３において、映像受信端末２００は、操作入力手段２０１、端末管理手段２０２、放送受信手段２０３、時刻情報取得手段２０４、番組情報取得手段２０５、時刻差分情報算出手段２０６、時刻差分情報記録手段２０７、内部時計手段２０８、タイマ手段２０９、予約設定・実行手段２１０および番組切り替え手段２１１で構成されており、内部時計に設定されている時刻情報と予約を行う番組の放送に含まれる時刻情報の差分値を計算し、計算した差分値を基に予約実行時間を補正する機能を有している。
【００１０】
操作入力手段２０１は、ユーザのリモコン操作等による外部からの要求を受け付け、受け付けた要求を端末管理手段２０２へ送信する。端末管理手段２０２は、映像受信端末２００の状態管理と各種要求に対応した処理を実行する。
【００１１】
放送受信手段２０３は、アナログ放送およびデジタル放送により伝送される映像・音声コンテンツ（番組）を受信する。時刻情報取得手段２０４は、放送受信手段２０３が受信した番組から番組に含まれる時刻情報を抽出する。番組情報取得手段２０５は、放送受信手段２０３が受信した番組から番組に含まれる番組情報を抽出する。
【００１２】
時刻差分情報算出手段２０６は、内部時計手段２０８の時刻と、時刻情報取得手段２０４が取得する時刻の差分値を計算する。時刻差分情報記録手段２０７は、時刻差分情報算出手段２０６が計算した時刻差分値を記録する。
【００１３】
内部時計手段２０８は、映像受信端末２００内部の基準時刻を保持する。タイマ手段２０９は、予約設定・実行手段２１０を起動する時刻（起動時刻）を記録しており、内部時計手段２０８が保持している基準時刻が該起動時刻になると、予約設定・実行手段２１０を起動する。
【００１４】
予約設定・実行手段２１０は、予約時刻をタイマ手段２０９に設定し、予約した時刻になると、タイマ設定時に予約した処理を実行する。番組切り替え手段２１１は、受信している番組を切り替える。
【００１５】
なお、映像受信端末２００は、デジタルテレビ、セットトップボックスおよびパーソナルコンピュータ等の家電機器が考えられるが、これらに限定されるものではない。
【００１６】
次に、図４を用いて、以上のように構成された映像受信端末２００において、ユーザが予約を設定して実行する手順について説明する。
【００１７】
ここでは、映像受信端末２００は、デジタル放送に含まれる時刻情報を内部時計手段２０８に設定するものとする。
【００１８】
図４において、まず、映像受信端末２００における放送受信手段２０３は、デジタル放送にて伝送される映像コンテンツを受信し、受信した映像コンテンツを時刻情報取得手段２０４へ送信する（Ｓ２０１）。
【００１９】
時刻情報取得手段２０４は、放送受信手段２０３から受信した映像コンテンツに含まれる時刻情報を抽出・取得し、取得した時刻情報を内部時計手段２０８へ送信する（Ｓ２０２）。
【００２０】
このとき、時刻情報取得手段２０４が取得する時刻情報は、ＴＤＴ（Ｔｉｍｅ  Ｄａｔａ  Ｔａｂｌｅ）やＴＯＴ（Ｔｉｍｅ  Ｏｆｆｓｅｔ  Ｔａｂｌｅ）などが考えられるが、これに限定されるものではない。
【００２１】
内部時計手段２０８は、時刻情報取得手段２０４から受信した時刻情報を、映像受信端末２００内部の基準時刻として設定する（Ｓ２０３）。
【００２２】
デジタル放送にて伝送される映像コンテンツに含まれる時刻情報が、映像受信端末２００内部の基準時刻として内部時計手段２０８に設定されている状態において、操作入力手段２０１は、ユーザからの予約要求を受信し、受信した該予約要求を端末管理手段２０２へ通知する（Ｓ２０４）。
【００２３】
操作入力手段２０１からの予約要求を受け付けた端末管理手段２０２は、予約設定・実行手段２１０へ予約設定要求を行い、予約設定要求を受け付けた予約設定・実行手段２１０は、ユーザから予約要求された番組に関する情報、特に番組開始・終了時刻を、番組情報取得手段２０５から取得する（Ｓ２０５）。なお、番組情報取得手段２０５は、放送受信手段２０３から送信される映像コンテンツに含まれる番組情報を抽出・取得する。このとき、番組情報取得手段２０５が取得する番組情報としては、ＥＩＴ（Ｅｖｅｎｔ  Ｉｎｆｏｒｍａｔｉｏｎ  Ｔａｂｌｅ）などが考えられるが、これに限定されるものではない。
【００２４】
予約設定・実行手段２１０は、番組情報取得手段２０５から番組情報を取得するとともに、時刻差分情報記録手段２０７に対して時刻差分情報取得要求を送信し、ユーザから予約要求のあった放送を受信するためのネットワークにおける時刻情報と、映像受信端末２００内部に設定されている基準時刻との時刻差分情報を取得する（Ｓ２０６）。
【００２５】
ここで、時刻差分情報記録手段２０７に記録される時刻差分情報の算出方法について説明する。
【００２６】
時刻差分情報記録手段２０７に記録される時刻差分情報の算出は、時刻差分情報算出手段２０６において行われる。時刻差分情報算出手段は、時刻情報取得手段２０４に対して、該当するネットワークの時刻情報の取得要求を行うとともに、内部時計手段２０８から映像受信端末２００内部の基準時刻を取得して、両者の時刻情報の差分値を算出し、算出した差分値を時刻差分情報記録手段２０７へ格納する。
【００２７】
例えば、内部時計手段２０８が示す時刻（基準時刻）が１８：００：００で、該当するネットワークの時刻情報、すなわち、予約するネットワークを介して受信する映像コンテンツに含まれる時刻情報の示す値が１７：５９：５５の場合、時刻差分情報記録手段には両者の差分値である−５（マイナス５）が格納される。
【００２８】
予約設定・実行手段２１０は、番組情報取得手段２０５から番組の開始・終了時刻を、時刻差分情報記録手段２０７から時刻差分情報をそれぞれ取得すると、番組情報取得手段２０５から取得した番組の開始・終了時刻を、時刻差分情報記録手段２０７から取得した時刻差分情報で補正し（Ｓ２０７）、タイマ手段２０９に対して、補正した番組の開始時刻を予約開始時刻として、また補正した番組の終了時刻を予約終了時刻としてそれぞれ設定する（Ｓ２０８）。
【００２９】
このときに予約設定・実行手段２１０が設定する予約開始時刻と予約終了時刻を具体的に説明すると、例えば、１９：００：００に開始し、２０：００：００に終了する番組の場合、予約開始時刻は１８：５９：５５、予約終了時刻は１９：５９：５５となる。
【００３０】
タイマ手段２０９は、内部時計手段２０８を常に監視し、内部時計手段２０８の基準時刻が予約設定した時刻になると、その旨を予約設定・実行手段２１０へ通知する。通知を受けた予約設定・実行手段２１０は、ユーザから予約された番組に切り替えるため、番組切り替え要求を番組切り替え手段へ送信し、要求を受け付けた番組切り替え手段２１１は、該当する（ユーザから予約された番組が伝送される）ネットワークに切り替える（Ｓ２０９）。
【００３１】
以上のように、映像受信端末２００は、ネットワークを介して伝送されるユーザから予約要求のあった映像コンテンツに含まれる時刻情報と、映像受信端末２００内部に設定されている基準時刻の差分値を算出し、算出した差分値により予約開始・終了時刻を補正することで、映像・音声コンテンツの先頭部分や最後の部分が視聴できないといった不具合を生じさせることのない予約の設定・実行を可能にしている。
【先行技術文献】
【特許文献】
【００３２】
【特許文献１】特開２００５−３０３７９９号公報
【発明の概要】
【発明が解決しようとする課題】
【００３３】
しかしながら、特許文献１に開示されている従来の技術においては、ネットワークを介して伝送される映像コンテンツに含まれる時刻情報には揺らぎがあるため、映像コンテンツに含まれる時刻情報と、映像受信端末が具備する内部時計手段に設定されている基準時刻との差分値は、映像コンテンツに含まれる時刻情報の抽出・取得時刻が異なると差分値も異なってしまうという課題を有していた。また、同じネットワーク内であっても、映像コンテンツを送出する放送局が異なると、当然のことながら時刻情報に差分が生じるという課題を有していた。
【００３４】
このように、番組予約設定時に番組予約時刻の補正値として用いた時刻情報における差分値と、番組予約実行開始時の時刻情報における差分値が異なるならば、当然のことながら、不具合を生じさせることのない正確な予約実行を行うことができず、特に、ＩＰ放送においては、放送波に比べて伝送経路における揺らぎが大きいため、ＩＰ放送に対応した映像受信端末においては大きな課題となっていた。
【００３５】
本発明は、このような課題に鑑みてなされたものであり、ネットワークを介して伝送される映像コンテンツに含まれる時刻情報に揺らぎがあっても、映像・音声コンテンツの先頭部分や最後の部分が視聴できないといった不具合を生じさせることのない、正確な予約の設定・実行を可能にすることができるなど、時刻情報に関連する所定の動作を、不都合を生じさせずに実行できる映像受信端末などの受信端末装置を提供することを目的とする。
【課題を解決するための手段】
【００３６】
上記目的を達成するために、本願の第１の発明の受信端末装置は、放送局から電波を介して送信され第１の時刻情報を有する第１の放送データと、外部サーバから通信ネットワークを介して送信され第２の時刻情報を有する第２の放送データとを受信し、前記第１の時刻情報または前記第２の時刻情報を基に所定の動作を行なう受信端末装置であって、同時刻に入力される前記第１の時刻情報と前記第２の時刻情報との時刻差分情報を生成して保存する時刻差分情報保存部と、前記時刻差分情報を基に前記第２の時刻情報の補正を行う時刻情報補正部と、予め定められたタイミング毎に、前記時刻差分情報保存部において前記タイミングが指し示す時刻毎に生成され上書き保存された前記時刻差分情報を基に、前記第２の時刻情報の補正を順次行う時刻情報再補正部と、前記第２の放送データを受信する場合には、前記時刻情報補正部および前記時刻情報再補正部において補正された前記第２の時刻情報の内、最も新しい前記補正された前記第２の時刻情報を基に、前記所定の動作を行なうことを特徴とするものである。
【００３７】
また、本願の第２の発明の受信端末装置は、本願の第１の発明の受信端末装置において、前記所定の動作の開始時刻および／または終了時刻、および前記時刻情報再補正部が補正を開始する時刻を保持するとともに、前記第１の時刻情報を監視して保持されている時刻になったことを検知するタイマ部と、前記所定の動作の開始時刻および／または終了時刻、および前記時刻情報再補正部が補正を開始する時刻を前記タイマ部に設定するとともに、設定された時刻を前記タイマ部が検知すると、前記所定の動作を開始または終了させる所定動作設定・実行部と、をさらに備え、前記第２の放送データを受信する場合には、前記所定の動作の開始および／または終了時刻、および前記時刻情報再補正部が補正を開始する時刻の前記タイマ部への設定は、前記時刻情報補正部において補正された前記第２の時刻情報に基づく所定の時刻に設定し、前記タイマ部に設定された前記所定の時刻は、前記予め定められたタイミング毎に、前記時刻情報再補正部が補正した前記第２の時刻情報により順次補正され、前記タイマ部が前記第１の時刻情報を基に前記所定の時刻になったことを確認すると、前記所定動作設定・実行部は、前記所定の時刻に実行する処理が、前記所定の動作に関する処理であるか、前記時刻情報再補正部が行う補正に関する処理であるかを判断することを特徴とするものである。
【００３８】
また、本願の第３の発明の受信端末装置は、本願の第１の発明または第２の発明の受信端末装置において、前記第２の放送データは、前記第１の放送データを送信する前記放送局とは異なる放送局から、電波を介して送信される放送データであることを特徴とするものである。
【００３９】
また、本願の第４の発明の受信端末装置は、本願の第１乃至第３のいずれかの発明の受信端末装置において、前記タイミングは、前記第２の放送データとして放送される番組が切り替わる時刻、または、ユーザもしくは前記外部サーバにより外部から設定される時刻、であることを特徴とするものである。
【発明の効果】
【００４０】
本発明によれば、複数のネットワークから映像コンテンツを受信可能な受信端末装置が、ネットワークを介して伝送される映像コンテンツに含まれる時刻情報（ｔ）と、内部時計の基準時刻情報との差分値により、所定の動作の予約時刻を再補正し続けることで、時刻情報（ｔ）に揺らぎがあっても正確な予約実行を行うことが可能となる。
【図面の簡単な説明】
【００４１】
【図１】本発明の実施の形態１に係る映像受信端末の構成を示すブロック図
【図２】本発明の実施の形態１に係る映像受信端末において実行される予約設定処理、予約時刻の再補正処理および予約実行処理の手順を示すフローチャート
【図３】特許文献１に開示されている従来の映像受信端末の構成を示すブロック図
【図４】特許文献１に開示されているユーザが映像受信端末に予約を設定して実行する手順を示すフローチャート
【発明を実施するための形態】
【００４２】
以下に、本発明を実施するための形態について、図面を参照しながら説明する。
【００４３】
（実施の形態１）
図１は、本発明の実施の形態１に係る映像受信端末の構成を示すブロック図である。
【００４４】
図１において、映像受信端末１００は、操作入力手段１０１、端末管理手段１０２、放送受信手段１０３、時刻情報取得手段１０４、番組情報取得手段１０５、時刻差分情報算出手段１０６、時刻差分情報記録手段１０７、内部時計手段１０８、タイマ手段１０９、予約設定・実行手段１１０、番組切り替え手段１１１および時刻差分情報補正手段１１２で構成されている。
【００４５】
映像受信端末１００における操作入力手段１０１、端末管理手段１０２、時刻情報取得手段１０４、番組情報取得手段１０５、時刻差分情報算出手段１０６、時刻差分情報記録手段１０７、内部時計手段１０８および番組切り替え手段１１１は、それぞれ、図３に示される映像受信端末２００における操作入力手段２０１、端末管理手段２０２、時刻情報取得手段２０４、番組情報取得手段２０５、時刻差分情報算出手段２０６、時刻差分情報記録手段２０７、内部時計手段２０８および番組切り替え手段２１１と同等の機能を有するので、ここでは説明を省略する。
【００４６】
なお、放送受信手段１０３は、映像受信端末２００における放送受信手段２０３の機能に加えて、ＩＰ放送を受信する機能を有する。
【００４７】
また、予約設定・実行手段１１０は、映像受信端末２００における予約設定・実行手段２１０の機能に加えて、時刻差分情報の再算出処理を起動（開始）する時刻をタイマ手段１０９に設定する機能を有する。
【００４８】
また、タイマ手段１０９は、映像受信端末２００におけるタイマ手段２０９の機能に加えて、時刻差分情報補正手段１１２を起動する時刻をタイマに設定する機能を有しており、内部時計手段１０８における基準時刻が時刻差分情報補正手段１１２を起動する時刻になると、予約設定・実行手段１１０に通知する。
【００４９】
また、時刻差分情報補正手段１１２は、時刻差分情報算出手段１０６からネットワークの時刻と、端末内部の基準時刻との時刻差分情報を取得し、タイマ手段１０９に登録されている予約開始・終了時刻を再補正する機能を有する。
【００５０】
ここで、特許請求の範囲に記載の各部と、映像受信端末１００を構成する各手段との関係について説明する。
【００５１】
まず、時刻差分情報保存部は、放送受信手段１０３、時刻情報取得手段１０４、内部時計手段１０８、時刻差分情報算出手段１０６および時刻差分情報記録手段１０７で構成され、時刻情報補正部は、予約設定・実行手段１１０およびタイマ手段１０９で構成され、時刻情報再補正部は、時刻差分情報補正手段１１２、予約設定・実行手段１１０、タイマ手段１０９、番組情報取得手段１０５および放送受信手段１０３で構成され、タイマ部は、タイマ手段１０９に相当し、所定動作設定・実行部は、端末管理手段１０２および予約設定・実行手段１１０で構成される。
【００５２】
なお、映像受信端末１００は、デジタルテレビ、セットトップボックスおよびパーソナルコンピュータ等の家電機器が考えられるが、これらに限定されるものではない。
【００５３】
次に、以上のように構成された映像受信端末１００において実行される予約設定処理、予約時刻の再補正処理および予約実行処理の手順について説明する。なお、図２は、本発明の実施の形態１に係る映像受信端末において実行される予約設定処理、予約時刻の再補正処理および予約実行処理の手順を示すフローチャートである。
【００５４】
また、ここでは、受信したデジタル放送の映像コンテンツに含まれる時刻情報を、映像受信端末１００の基準時刻として内部時計手段１０８に設定する場合を例に挙げて説明するが、これに限定されるものではない。
【００５５】
図２において、まず、映像受信端末１００における時刻情報取得手段１０４は、放送受信手段１０３において受信した基準となるデジタル放送にて伝送される映像コンテンツに含まれる時刻情報を抽出・取得して内部時計手段１０８に送信し、内部時計手段１０８は、時刻情報取得手段１０４から受信した該時刻情報を、映像受信端末１００内部の基準時刻として設定する（Ｓ１０１）。このときの動作は、図４におけるステップＳ２０１〜ステップＳ２０３と同じである。
【００５６】
次に、ユーザが予約操作を実行し、ユーザからの予約要求を受信した操作入力手段１０１は、該予約要求を端末管理手段１０２へ通知する（Ｓ１０２）。このときの動作は、図４におけるステップＳ２０４と同じである。
【００５７】
操作入力手段１０１から該予約要求の通知を受け取った端末管理手段１０２は、予約設定・実行手段１１０へ該予約要求に対応する予約設定要求を行い、予約設定・実行手段１１０は、番組情報取得手段１０５から、該予約設定要求に対応する番組の開始・終了時刻を取得する（Ｓ１０３）。このときの動作は、図４におけるステップＳ２０５と同じである。
【００５８】
予約設定・実行手段１１０は、さらに、時刻差分情報記録手段１０７から、該予約設定要求に対応する放送を受信するためのネットワーク（当該ネットワーク）における時刻情報と、映像受信端末１００内部の基準時刻との時刻差分情報（時刻差分値）を算出する（Ｓ１０４）。このときの動作は、図４におけるＳ２０６と同じである。
【００５９】
該予約設定要求に対応する番組の開始・終了時刻と、該予約設定要求に対応する放送を受信するためのネットワーク（当該ネットワーク）における時刻情報と映像受信端末１００内部の基準時刻との時刻差分値を算出した予約設定・実行手段１１０は、当該番組の開始・終了時刻を、算出した時刻差分値を用いて補正し、タイマ手段１０９に対して、補正した当該番組の開始時刻を予約開始時刻、補正した当該番組の終了時刻を予約終了時刻として設定する（Ｓ１０５）。この際に設定された予約開始・終了時刻を、時刻差分情報記録手段１０７に記録されている時刻差分情報を−５として、それぞれ、１８：５９：５５、１９：５９：５５とする。このときの動作は、図４におけるステップＳ２０７〜Ｓ２０８と同じである。
【００６０】
次に、予約設定・実行手段１１０は、予約開始・終了時刻の再補正を行うために、再補正を実施する時刻をタイマ手段１０９へ設定する。ここでは一例として、予約する番組が伝送されるネットワークにおいて番組が変更したタイミングで再補正を行うものとする。
【００６１】
予約設定・実行手段１１０は、番組情報取得手段２０５から、予約設定する番組が伝送されるネットワークにおいて次に放送される番組の開始時刻を取得するとともに、時刻差分情報記録手段１０７から時刻差分情報を取得して、次に放送される番組の開始時刻を、取得した時刻差分情報で補正し、この補正した次に放送される番組の開始時刻を、再補正処理の実施開始時刻としてタイマ手段１０９に設定する（Ｓ１０６）。
【００６２】
具体的な数値を例に挙げて説明すると、次に放送される番組の開始時間を１５：００：００とし、時刻差分情報記録手段１０７から取得した時刻差分情報を−５とすると、予約設定・実行手段１１０は、タイマ手段１０９に対して、再補正処理の実施時刻を１４：５９：５５に設定する。
【００６３】
タイマ手段１０９は、内部時計手段１０８を常に監視し、内部時計手段１０８の時刻が予約設定した時刻になったことを確認すると、予約設定・実行手段１１０へその旨を通知する。
【００６４】
タイマ手段１０９から通知を受けた予約設定・実行手段１１０は、実行する処理が予約設定時刻の再補正処理であるか、または予約実行処理であるかを判別する（Ｓ１０７）。
【００６５】
ステップＳ１０７において、実行する処理が予約設定時刻の再補正処理であると判別された場合（ステップＳ１０７においてＮｏの場合）には、予約設定・実行手段１１０は、時刻差分情報補正手段１１２へ予約設定時刻再補正要求を送信する。
【００６６】
予約設定・実行手段１１０から予約設定時刻再補正要求を受け付けた時刻差分情報補正手段１１２は、まず、時刻差分情報の更新を行うために、時刻差分情報算出手段１０６へ時刻差分情報更新要求を行う。時刻差分情報更新要求を受け付けた時刻差分情報算出手段１０６は、該当するネットワークの時刻情報と、内部時計手段１０８の基準時刻との差分値を計算し、その計算結果を時刻差分情報記録手段１０７へ上書き記録する。
【００６７】
時刻差分情報補正手段１１２は、この上書き記録された新しい時刻差分値を、時刻差分情報記録手段１０７から取得し、取得した新しい時刻差分値により、予約設定・実行手段１１０を介して、タイマ手段１０９に設定されている当該番組の予約開始・終了時刻を再補正する（Ｓ１０８）。
【００６８】
なお、ステップＳ１０８における番組の予約開始・終了時刻の再補正処理は、ステップＳ１０７において実行する処理が予約設定処理であると判別されるまで、予約する番組が伝送されるネットワークにおいて番組が変更したタイミングで繰り返し実行される。
【００６９】
ここで、具体的な数値を例に挙げて説明すると、時刻差分情報記録手段１０７において上書き記録された新しい時刻差分情報を−２とすると、時刻差分情報補正手段１１２により、タイマ手段１０９に設定されている番組の予約開始時刻１８：５９：５５は１８：５９：５８に、番組の予約終了時刻１９：５９：５５は１９：５９：５８に、それぞれ再補正される。
【００７０】
一方、ステップＳ１０７において、実行する処理が予約設定処理であると判別された場合（ステップＳ１０７においてＹｅｓの場合）には、予約設定・実行手段１１０は、番組切り替え手段１１１に対して番組切り替え要求を送信し、番組切り替え要求を受け取った番組切り替え手段１１１は、ユーザが予約した番組が伝送されるネットワークに切り替えて予約を実行する（Ｓ１０９）。
【００７１】
以上のように、本発明の実施の形態１に係る映像受信端末１００における予約設定処理、予約時刻の再補正処理および予約実行処理の手順によれば、ネットワークを介して伝送される映像コンテンツに含まれる時刻情報と、映像受信端末１００内部に設定されている基準時刻との時刻差分値を、予め定めたタイミング毎に算出し、その算出した時刻差分値でもって予約設定時刻を順次補正するので、予約が実行される時点においては、最も新しい（予約が実行される時点に最も時間的に近い）時刻差分値で補正された予約設定時刻に基づいて予約が実行されることになるので、ネットワークを介して伝送される映像コンテンツに含まれる時刻情報に揺らぎがあっても、映像・音声コンテンツの先頭部分や最後の部分が視聴できないといった不具合を生じさせることのない、正確な予約の設定・実行を可能にすることができる。
【００７２】
なお、本発明の実施の形態１においては、時刻差分情報の再補正を実施するタイミングとして、予約番組が伝送されるネットワークの番組が切り替わるタイミングを例に挙げたが、これに限るものではなく、例えば、予め定めた時間間隔で定期的に補正を行ったり、日付が変わるタイミングで補正を行ったり、ユーザもしくはコンテンツ配信サーバにより外部から設定される時刻に補正を行うことなどが考えられる。
【００７３】
また、本発明の実施の形態１においては、時刻差分情報を更新する方法として、時刻差分情報算出手段１０６が新たに算出した時刻差分情報（時刻差分値）を、時刻差分情報記録手段１０７に上書き記録する場合を例に挙げたが、これに限るものではなく、例えば、新たに算出した時刻差分値と、直前に算出した時刻差分値との大小を比べ、いずれか大きい値、あるいはいずれか小さい値を選択するようにしてもかまわない。
【００７４】
また、本発明の実施の形態１においては、映像受信端末１００における番組予約を例に挙げて説明したが、これに限るものではなく、時刻に関連づけられる動作であれば何であってもかまわない。
【産業上の利用可能性】
【００７５】
本発明は、複数のネットワークを介して映像・音声コンテンツのストリームデータなどを受信する映像受信端末に利用することができ、特に、ネットワーク間の時刻情報に揺らぎが生じる場合に有効である。
【符号の説明】
【００７６】
１００  映像受信端末
１０１  操作入力手段
１０２  端末管理手段
１０３  放送受信手段
１０４  時刻情報取得手段
１０５  番組情報取得手段
１０６  時刻差分情報算出手段
１０７  時刻差分情報記録手段
１０８  内部時計手段
１０９  タイマ手段
１１０  予約設定・実行手段
１１１  番組切り替え手段
１１２  時刻差分情報補正手段
２００  映像受信端末
２０１  操作入力手段
２０２  端末管理手段
２０３  放送受信手段
２０４  時刻情報取得手段
２０５  番組情報取得手段
２０６  時刻差分情報算出手段
２０７  時刻差分情報記録手段
２０８  内部時計手段
２０９  タイマ手段
２１０  予約設定・実行手段
２１１  番組切り替え手段
【図１】
2011055314.tif 000003
【図２】
2011055314.tif 000004
【図３】
2011055314.tif 000005
【図４】
2011055314.tif 000006